(57)【要約】【課題】収納箱本体に収納物が収納された状態で吊り下げフックを掛けたとき、収納箱本体が鉛直となり、さらに、吊り下げフックを収納箱本体の内部に収容可能な吊り下げ収納箱を提供する。【解決手段】収納物が収納される収納箱本体と、前記収納箱本体に設けられ前記収納箱本体を吊り下げる吊り下げフック６３とを備えた吊り下げ収納箱１において、前記収納箱本体は上蓋１５を備えており、前記吊り下げフック６３は前記上蓋１５の内面側に回動可能に取り付けられており、前記吊り下げフック６３のフック部６４は、前記吊り下げ収納箱１の幅方向および厚み方向の中央部に位置していることを特徴とする。【選択図】図１
2015157636.tif 000002
【特許請求の範囲】
【請求項１】
収納物が収納される収納箱本体と、
前記収納箱本体に設けられ前記収納箱本体を吊り下げる吊り下げフックとを備えた吊り下げ収納箱において、
前記収納箱本体は上蓋を備えており、
前記吊り下げフックは前記上蓋の内面側に回動可能に取り付けられており、
前記吊り下げフックのフック部は、前記吊り下げ収納箱の幅方向および厚み方向の中央部に位置していることを特徴とする吊り下げ収納箱。
【請求項２】
請求項１に記載の吊り下げ収納箱であって、
前記上蓋は、吊り下げ収納箱の開口部を覆う蓋面を備えており、
前記吊り下げフックは前記蓋面の内面側に立ち上がる取り付け面に回動可能に取り付けられることを特徴とする吊り下げ収納箱。
【請求項３】
請求項２に記載の吊り下げ収納箱であって、
前記取り付け面は、前記蓋面を構成する平板を前記蓋面の内面側にＶ字状に折り曲げて前記蓋面と一体に形成されることを特徴とする吊り下げ収納箱。
【請求項４】
請求項２または３に記載の吊り下げ収納箱であって、
前記蓋面には前記取り付け面の接続部に沿って孔部が設けられていることを特徴とする吊り下げ収納箱。
【請求項５】
請求項２〜４のいずれか１項に記載の吊り下げ収納箱であって、
前記取り付け面の上端には前記吊り下げフックが収納されたとき当接する当接面が形成されていることを特徴とする吊り下げ収納箱。
【請求項６】
請求項１〜５のいずれか１項に記載の吊り下げ収納箱であって、
前記上蓋の外面側には前記上蓋を覆う化粧蓋が設けられていることを特徴とする吊り下げ収納箱。
【発明の詳細な説明】
【技術分野】
【０００１】
本発明は、吊り下げ収納箱に関する。
【背景技術】
【０００２】
従来、衣料品や日用品などの商品を収納箱に収納した状態で店舗に展示して販売することがある。この場合に、収納箱に吊り下げフックを取り付けて、商品が収納された収納箱を吊り下げフックによって、店舗に設置された展示台などに吊り下げて展示することがある。図１７に示す吊り下げ収納箱９１のように、紙製のブランク材を折り曲げて収納箱本体９２と吊り下げフック９３とが一体に形成されるものもある。これらの収納箱では、吊り下げフックが本体の背面上部に設けられている。
【先行技術文献】
【特許文献】
【０００３】
【特許文献１】特開２００９−３４９８６号公報
【発明の概要】
【発明が解決しようとする課題】
【０００４】
吊り下げ収納箱の吊り下げフックが背面上部に設けられているので、収納箱を吊り下げたとき、収納箱本体が傾き、収納箱の美観が損なわれることがある。さらに、収納箱本体に開口部を設けて収納箱に収納した商品を外部から視認することができるようにしたり、収納箱の前面に商品説明等の表示をする場合などには、商品や商品説明が傾いて見づらくなり、人目を惹く効果が薄れることがある。また、商品を各々収納箱に収納した多数の収納箱を保管したい場合があるが、この場合に吊り下げフックが邪魔になるという問題があった。
【０００５】
本発明は、従来のこのような問題点を解決するためになされたものであって、その目的は、収納箱本体に収納物が収納された状態で吊り下げフックを掛けたとき、収納箱本体が鉛直となり、さらに、吊り下げフックを収納箱本体の内部に収容可能な吊り下げ収納箱を提供することである。
【課題を解決するための手段及び発明の効果】
【０００６】
上記目的を達成するために、本発明の一側面に係る吊り下げ収納箱によれば、収納物が収納される収納箱本体と、前記収納箱本体に設けられ前記収納箱本体を吊り下げる吊り下げフックとを備えた吊り下げ収納箱において、前記収納箱本体は上蓋を備えており、前記吊り下げフックは前記上蓋の内面側に回動可能に取り付けられており、前記吊り下げフックのフック部は、前記吊り下げ収納箱の幅方向および厚み方向の中央部に位置していることを特徴とする。
【０００７】
上記構成によれば、吊り下げフックのフック部は、前記吊り下げ収納箱の幅方向および厚み方向の中央部に位置しているので、収納箱本体に収納物が収納された状態で吊り下げフックを掛けたとき、収納箱本体が鉛直となる。吊り下げフックは収納箱本体の内面側に回動可能に取り付けられているので、吊り下げフックを収納箱本体の内部に収容することができる。
【０００８】
また、前記上蓋は、吊り下げ収納箱の開口部を覆う蓋面を備えており、
前記吊り下げフックは前記蓋面の内面側に立ち上がる取り付け面に回動可能に取り付けられることを特徴とする。
【０００９】
上記構成によれば、吊り下げフックを取り付け面に沿って回動させて、容易に吊り下げフックを上蓋の上面側に突出させ、また容易に吊り下げフックを収納箱本体の内部に収納することができる。
【００１０】
また、前記取り付け面は、前記蓋面を構成する平板を前記蓋面の内面側にＶ字状に折り曲げて前記蓋面と一体に形成されることを特徴とする。
【００１１】
上記構成によれば、たとえば紙製の平板を用いて簡単に蓋面と取り付け面とを一体に形成することができる。
【００１２】
また、前記蓋面には前記取り付け面の接続部に沿って孔部が設けられていることを特徴とする。
【００１３】
上記構成によれば、孔部に指を入れて簡単に吊り下げフックを摘まみ上蓋の上面側に突出させることができ、突出した吊り下げフックを簡単に孔部に押し込んで収納箱本体の内部に収容することができる。
【００１４】
また、前記取り付け面の上端には前記吊り下げフックが収納されたとき当接する当接面が形成されていることを特徴とする。
【００１５】
上記構成によれば、吊り下げフックを収納箱本体の内部に収容したときの位置決めをすることができる。
【００１６】
また、前記上蓋の外面側には前記上蓋を覆う化粧蓋が設けられていることを特徴とする。
【００１７】
上記構成によれば、上蓋を化粧蓋で覆って、吊り下げ収納箱の外観を美的に処理することができる。
【図面の簡単な説明】
【００１８】
【図１】本発明の第１の実施形態に係る吊り下げ収納箱の斜視図である。
【図２】吊り下げ収納箱の展開図である。
【図３】吊り下げフックの斜視図である。
【図４】吊り下げ収納箱の組み立て手順を示す図である。
【図５】吊り下げ収納箱の組み立て手順を示す図である。
【図６】吊り下げ収納箱の組み立て手順を示す図である。
【図７】吊り下げ収納箱の組み立て手順を示す図である。
【図８】吊り下げ収納箱の組み立て手順を示す図である。
【図９】吊り下げ収納箱の組み立て手順を示す図である。
【図１０】吊り下げ収納箱の組み立て手順を示す図である。
【図１１】吊り下げ収納箱の組み立て手順を示す図である。
【図１２】吊り下げ収納箱の組み立て手順を示す図である。
【図１３】吊り下げ収納箱の組み立て手順を示す図である。
【図１４】吊り下げ収納箱の組み立て手順を示す図である。
【図１５】本発明の第２の実施形態に係る吊り下げ収納箱の展開図である。
【図１６】吊り下げ収納箱の斜視図である。
【図１７】従来の吊り下げ収納箱の斜視図である。
【発明を実施するための形態】
【００１９】
以下、本発明の第１の実施例に係る吊り下げ収納箱１を図１〜図１４に基づいて説明する。ただし、以下に示す実施例は、本発明の技術思想を具体化するための吊り下げ収納箱を例示するものであって、吊り下げ収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２０】
図１は本発明の第１の実施形態に係る吊り下げ収納箱１が吊り下げられた状態の斜視図であり、図２は吊り下げ収納箱１の展開図である。
【００２１】
展開された吊り下げ収納箱１は、正面壁２の一方側の側部には折曲線３を介して側部壁４が連設されており、他方側の側部には折曲線５を介して側部壁６が連設されている。側部壁４には折曲線７を介して背部壁８が連設されており、背部壁８には折曲線９を介してさらに糊代１０が設けられている。
【００２２】
背部壁８の一端部には上蓋１５が連設されている。上蓋１５は、背部壁８の一端部に折曲線１６を介して連設され、上蓋１５の一方側を構成する上蓋壁片１７と、上蓋壁片１７の中央に折曲線１８を介して連設される吊り下げフック取付片１９，２０と、吊り下げフック取付片２０に折曲線２１を介して連設され上蓋１５の他方側を構成する上蓋壁片２２とを備えている。吊り下げフック取付片１９と２０とは、折曲線２３で背中合わせに折り畳まれて、上蓋壁片１７，２２の内面側に立ち上がり、後述する吊り下げフック６３が取り付けられる吊り下げフック取付部６１を形成する。吊り下げフック取付部６１には吊り下げフック６３が取り付けられる。
【００２３】
正面壁２の一端部には折曲線２７を介して化粧蓋２８が連設されており、化粧蓋２８の端面には折曲線２９を介して舌片３０が連設されている。正面壁２の下部には折曲線３３を介して底蓋３４が連設されており、底壁３４の端部には折曲線３５を介して差し込み片３６が連設されている。背部壁８の他端部には折曲線３９を介して舌片４０が連設されている。側部壁４，６の端部には、各々折曲線４２，４３，４４，４５を介してフラップ４６，４７，４８，４９が折り曲げ可能に設けられている。
【００２４】
図３は吊り下げフック６３の斜視図を示す。吊り下げフック６３は、たとえば樹脂を射出成型して形成される。吊り下げフック６３は、吊り下げフック取付部６１に嵌合する回動軸である円筒形の凸部６９を備えた部分と、凸部６９に係合するリング状の係合部７０とフック部６４とを備えた部分とが、折曲部７１で折り曲げ可能に接合されている。
【００２５】
吊り下げ収納箱１の作成手順について説明する。図４に示すブランク材において、糊代１０に接着剤を塗布した後、糊代１０を折曲線９で折り返して背部壁８に重ねる。そして正面壁２と側部壁６とを背部壁８に重なるように折曲線３で折り曲げ、糊代１０を側部壁６に接着する。このときの状態を図５に示す。吊り下げ収納箱１は、図５に示すように、背部壁８と側部壁６とが連結されてコンパクトに平面状に折り畳まれた状態で保管し運搬することができる。
【００２６】
そして背部壁８に対して側部壁４が垂直になるように折曲線７で折り曲げ、さらに正面壁２に対して側部壁６が垂直になるように折曲線５で折り曲げて、吊り下げ収納箱１を筒状にする。このときの状態を図６に示す。
【００２７】
吊り下げフック取付片１９と２０とが上蓋壁片１７，２２の内側にＶ字状に突出するように、折曲線１８，２１，２３で折り曲げ、吊り下げフック取付片１９と２０とを背中合わせに折り畳んで、吊り下げフック取付部６１を形成する。このとき、吊り下げフック取付部６１に形成されている孔部６２に、吊り下げフック６３を回動可能に支持する。
【００２８】
ここで吊り下げフック６３の取り付け手順について図７〜図９を参照しながら説明する。吊り下げフック取付片１９と２０とが上蓋壁片１７，２２の内側にＶ字状に突出するように、折曲線１８，２１，２３で折り曲げる。上蓋壁片１７，２２には、吊り下げフック取付片１９，２０の接続部に沿って各々孔部６５，６６が設けられており、吊り下げフック６３の回動軸である円筒形の凸部６９を孔部６６に挿入し、吊り下げフック取付片２０の孔部６２に嵌め込む。このときの状態を図７に示す。そしてＶ字状の吊り下げフック取付片１９と２０とを近付けながら吊り下げフック６３のリング状の係合部７０を孔部６５に挿入し、吊り下げフック取付片２０の孔部６２に嵌め込まれている凸部６９に係合させる。このときの状態を図８に示す。吊り下げフック取付片１９と２０とが背中合わせに当接すると、凸部６９に係合部７０が完全に係合して吊り下げフック６３の取り付けが完了する。このときの状態を図９に示す。
【００２９】
図１０に示すように、吊り下げフック６３のフック部６４は、この孔部６５，６６から上蓋１５の上部側に突出可能である。上蓋１５の上部側に突出した吊り下げフック６３は、孔部６５，６６の内部側に回動させて、吊り下げ収納箱１の内部に収納することができる。孔部６６の開口部であって吊り下げフック取付部６１の上端には凸状の当接面７２が設けられており、吊り下げフック６３は、図１１に示すように、この当接面７２に折曲部７１が当接した状態で、吊り下げ収納箱１の内部に収納される。
【００３０】
上蓋壁片１７，２２は、吊り下げフック取付片１９，２０との接続部である折曲線１８，２１の両側に円弧状の凸部５４，５５を備えており、吊り下げフック取付片１９と２０とが背中合わせに折り畳まれると、上蓋壁片１７と２２とが近付いて凸部５４と凸部５５とが重なった状態で上蓋１５が形成される。
【００３１】
次に、フラップ４７，４９を折曲線４３，４５で折り曲げた後、底蓋３４を折曲線３３で折り曲げ、差し込み片３６を背部壁８の内側に差し込む。そして舌片４０を折曲線３５上に成された切り込み４１に係合して底蓋３４を固定する。吊り下げ収納箱１の内部に衣料品などの収納物を収納した後、フラップ４６，４８を折曲線４２，４４で折り曲げて、上蓋１５を閉じる。このときの状態を図１２に示す。
【００３２】
化粧蓋２８が折曲線２７で折り曲げられて上蓋１５を覆い、化粧蓋２８の端面に設けられた舌片３０が、折曲線１６上に設けられた切り込み６７に係合して固定される。化粧蓋２８には、上蓋１５の孔部６５，６６と同じ位置に孔部６８が形成されており、孔部６８に位置するフック部６４を摘んで吊り下げフック６３を回動させ、吊り下げ収納箱１の内部に収納された吊り下げフック６３を、吊り下げ収納箱１の外部に突出させることができる。吊り下げ収納箱１の外部に突出した吊り下げフック６３は、化粧蓋２８の孔部６８に押し込んで折曲部７１を当接面７２に当接させて、吊り下げ収納箱１の内部に収納することができる。
【００３３】
図１に示すように、吊り下げフック６３が支持される孔部６２は、吊り下げフック６３が孔部６２に支持されたとき、フック部６４が、吊り下げ収納箱１の幅Ｗおよび厚みＴの中央部に位置するように形成されているので、吊り下げフック６３が掛けられた吊り下げ収納箱１は鉛直方向に向く。これによって、吊り下げ収納箱１の前面が下方に傾いて、吊り下げ収納箱１の美観が損なわれることを防止することができる。吊り下げ収納箱１の正面壁２に開口部を設けて商品を見易くする場合や、吊り下げ収納箱１の正面壁２に商品説明等の表示をする場合があるが、このような場合に商品や商品説明が傾いて見づらくなることを防止することができる。
【００３４】
本発明の第２の実施例に係る吊り下げ収納箱８１を図１５，図１６に基づいて説明する。図１５は吊り下げ収納箱８１の展開図であり、図１６は吊り下げ収納箱８１の斜視図である。なお。第１の実施形態の説明と重複する部分については説明を省略し、同一の参照符を用いることとする。吊り下げ収納箱８１は、上蓋壁片２２の端面に折曲線８２を介して差し込み片８３が設けられており、正面壁２の一端部には折曲線８４を介して舌片８５が連設されている。
【００３５】
吊り下げフック取付片１９と２０とを背中合わせに折り畳んで、吊り下げフック取付部６１を形成し、この吊り下げフック取付部６１の孔部６２に吊り下げフック６３を回動可能に支持すると、上蓋壁片１７の凸部５４と上蓋壁片２２の凸部５５とが重なって上蓋１５が形成されるが、この上蓋壁片２２の端面に折曲線８２を介して形成された差し込み片８３を正面壁２の内側に差し込む。正面壁２の一端部に折曲線８４を介して設けられた舌片８５を折曲線８２上に設けられた切り込み８６に係合して上蓋１５を固定する。
【００３６】
このように、化粧蓋を用いずに、上蓋１５の切り込み８６に舌片８５を係合して、上蓋１５を直接正面壁２側に固定すると、ブランク材を小さくすることができ、さらに吊り下げ収納箱８１の作成工程を少なくすることができる。
【産業上の利用可能性】
【００３７】
本発明の吊り下げ収納箱は、衣料品や日用品などの商品が収納された収納箱を、店舗に設置された展示台のバーに掛けて展示する場合などに好適に使用される。
【符号の説明】
【００３８】
１，８１，９１…吊り下げ収納箱
２…正面壁
３，５，７，９，１６，１８，２１，２３，２７，２９，３３，３５，３９，４２，４３，４４，４５，８２，８４…折曲線
４，６…側部壁
８…背部壁
１０…糊代
１５…上蓋
１７…上蓋壁片
１９，２０…吊り下げフック取付片
２２…上蓋壁片
２８…化粧蓋
３０，４０，８５…舌片
３４…底蓋
３６，８３…差し込み片
４１，６７，８６…切り込み
４６，４７，４８，４９…フラップ
６１…吊り下げフック取付部
６２，６５，６６，６８…孔部
６３，９３…吊り下げフック
６４…フック部
５４，５５…凸部
７０…係合部
７１…折曲部
７２…当接面
９２…収納箱本体
【図１】
2015157636.tif 000003
【図２】
2015157636.tif 000004
【図３】
2015157636.tif 000005
【図４】
2015157636.tif 000006
【図５】
2015157636.tif 000007
【図６】
2015157636.tif 000008
【図７】
2015157636.tif 000009
【図８】
2015157636.tif 000010
【図９】
2015157636.tif 000011
【図１０】
2015157636.tif 000012
【図１１】
2015157636.tif 000013
【図１２】
2015157636.tif 000014
【図１３】
2015157636.tif 000015
【図１４】
2015157636.tif 000016
【図１５】
2015157636.tif 000017
【図１６】
2015157636.tif 000018
【図１７】
2015157636.tif 000019